(57)【要約】【課題】  支持地盤中にアンカーを容易に設置してアンカー力を得ることができ、また、アンカー力を地上側から、容易に調整し得る、経済的なケーソンおよびその施工方法を提供する。【解決手段】  側壁の下方に刃口が形成されたケーソンであって、前記側壁に中空状の配管を複数設け、配管に第１のアンカーを挿入し、前記第１のアンカーの先端部を支持地盤に定着させ、第１のアンカーの上部を前記側壁の上部に位置させ、アンカー力調整用のアンカー固定部とした。  また、側壁の周囲に設けたケーソン沈下時荷重用の第２のアンカーによってもケーソンの浮き上がりを防止するようにし、かつそのアンカー固定部によってもアンカー力を調整可能とした。【選択図】図４
2008208533.tif 000002
【特許請求の範囲】
【請求項１】
側壁の下方に刃口が形成されたケーソンであって、
前記側壁に中空状の配管が複数設けられ、配管に第１のアンカーを挿入し、
前記第１のアンカーの先端部を支持地盤に定着させ、第１のアンカーの上部を前記側壁の上部に位置させ、アンカー力調整用のアンカー固定部を設け、このアンカー固定部を収納する防護部を設け、かつ前記配管は前記側壁の上部から前記刃口まで設けられ、配管の先端部に削孔可能な栓を設けた
ことを特徴とするケーソン。
【請求項２】
請求項１記載のケーソンにおいて、前記側壁の周囲に設けたケーソン沈下時荷重用に第２のアンカーを前記第１のアンカーとともに浮き上がり防止材とした
ことを特徴とするケーソン。
【請求項３】
側壁内にアンカー挿入用の配管が設けられ、配管の先端部に削孔可能な栓が設けられたケーソンを所定深さに沈設し、
側壁の上部側に設けられた削孔機により前記栓を削孔するとともに支持地盤を削孔し、
かつその削孔に第１のアンカーを挿入し、その先端部を支持地盤中に定着させ、
第１のアンカーの上部は前記側壁上方にアンカー力調整用のアンカー固定部として設け、かつこのアンカー固定部を収納する防護部を設けた
ことを特徴とするケーソンの施工方法。
【請求項４】
側壁内にアンカー挿入用の配管が設けられ、配管の先端部に削孔可能な栓が設けられたケーソンを沈下させる過程で、ケーソン周囲に設置した多数の第２のアンカーで反力をとりケーソンの沈下促進をはかり、
ケーソンが所定の深さに沈下した後、前記側壁の上部側に設けられた削孔機により前記栓を削孔するとともに支持地盤を削孔し、かつその削孔に第１のアンカーを挿入し、その先端部を支持地盤中に定着させ、第１のアンカーの上部は前記側壁上方にアンカー力調整用のアンカー固定部とし、
前記側壁上部に押さえ材を設け、この押さえ材を介して上記アンカー張力をケーソンに付加すると共に、前記側壁に設けた多数の前記第２のアンカーの張力により浮き上がりを防止し、かつ前記アンカー固定部を収容して保護する防護部を設けたことを特徴とするケーソンの施工方法。
【発明の詳細な説明】
【技術分野】
【０００１】
本発明は、浮き上がりの防止を図ったケーソンと、そのケーソンの施工方法に関する。
【背景技術】
【０００２】
一般に、作業室底部の地盤を掘削し、所定深さに沈設されたニューマチックケーソンの如きケーソンは、通常の状態では地下水の浮力に対して、ケーソンの自重と周辺摩擦力とにより浮き上がりが防止されている。
【０００３】
しかし、近年、井戸水の使用制限等によって地下水が上昇してきており、ケーソンの沈設後に地下水の浮力が増大し、ケーソンが浮き上がることが考えられる。
【０００４】
さらに、地震時には、地盤の液状化による周辺摩擦力の低下と、液状体（水＋土）の比重の増加により浮力が増大し、ケーソンが浮き上がることがある。また、地震による水平力によってケーソンの片側が浮き上がり、傾くことがある。
【０００５】
前述のごときケーソンの浮き上がりを防止するため、従来側壁やスラブを厚くし、ケーソンの自重を増大させたり、施工時の沈下掘削時、ケーソンに水荷重を加えたりする技術がある。
【０００６】
しかし、ケーソンの側壁やスラブを厚くする技術では、コンクリート材料、鉄筋などの補強材の使用量が多くなり、コスト高を招くという問題があった。また、この従来技術ではケーソンの有効内径に対して外径が大きくなり、その分ケーソンを沈下させるための作業室底部の地盤の掘削量が多くなり、工期が長くなるという問題もあった。さらに、この従来技術では外径を同じに構築した場合、有効内径が小さくなるため、構造物としてその内部を使用する、例えばトンネルの発進立坑や換気坑、洪水時の地下貯留施設などの用途には、不向きであった。
【０００７】
一方、ケーソンに水荷重を加える技術では、荷重水を除去すると、沈設したケーソンの浮き上がりを防止できないという問題があった。
【０００８】
ところで、作業室底部の地盤を掘削し、ケーソンを沈下させる作業時に、ケーソンの浮き上がりを防止するための技術として、従来例えば特許第３４３９８５９号公報や特開２００１−１１８６７号公報に記載の技術がある。
【０００９】
すなわち、前掲特許第３４３９８５９号公報に記載の技術では、ケーソンの作業室スラブに、互いに所定の間隔をおいて複数個のアンカー通し用の穴を設け、これらの穴と同数配置されかつ下端部を地盤に固定したアンカーを、前記穴に貫通させ、各穴とアンカー間の空隙部に充填材を注入してシールする密閉式アンカー通し装置を設け、前記作業室スラブ上に前記アンカーに対応させて圧入用ジャッキを設置し、当該圧入用ジャッキにアンカーを連結し、ケーソンの作業室底部の地盤を掘削しながら圧入用ジャッキによりアンカーを反力としてケーソンを地盤に圧入し、沈設するようにしている。
【００１０】
また、前掲特開２００１−１１８６７号公報に記載の技術では、ケーソンを設定すべき地盤に、適当な間隔を隔てて複数個の縦孔を穿設し、各縦孔に下部アンカー部材を挿入し、各縦孔内における下部アンカー部材の周りにグラウトを注入し、このグラウトの固化により下部アンカー部材を、ケーソンを設定すべき地盤内に固定する。一方、ケーソンの作業室スラブに、前記下部アンカー部材の位置に対応させて複数本の上部アンカー部材を配置するとともに、作業室スラブに各上部アンカー部材の上端部を埋設し固定している。そして、相互に対応する上部アンカー部材の下端部と下部アンカー部材の上端部とを、それぞれ連結手段により結合するようにしている。
【特許文献１】特許第３４３９８５９号公報
【特許文献２】特開２００１−１１８６７号公報
【発明の開示】
【発明が解決しようとする課題】
【００１１】
しかしながら、前者の特許第３４３９８５９号公報に記載の技術では、作業室底部の地盤を掘削してケーソンを沈下させる作業時、既に作業室内にアンカーが貫通しているため、作業室底部の掘削の邪魔になるという問題があった。特に、機械掘削の場合には掘削バケットの旋回に制約を受け、作業室底部の地盤掘削の能率の低下を招いていた。また、掘削バケットの旋回時に、アンカーを引き抜いてしまったり、破損させたりするおそれがあった。したがって、アンカーを設置した場合でも、アンカーの耐力が低下し、ケーソンの浮き上がりを効果的に防止することができなかった。
【００１２】
また、後者の特開２００１−１１８６７号公報記載のものでは、ケーソンを設定すべき位置に、あらかじめ下部アンカー部材を地盤に固定した後、作業室スラブに固定された上部アンカー部材を有するケーソンを設置し、上・下部アンカー部材を連結手段により結合するようにしているため、上・下部アンカー部材の平面上の位置を互いに結合しやすい精度に合わせることがきわめて困難であり、上・下部アンカー部材の結合に多くの時間を要することが想定される。また、前述の上・下部アンカー部材の結合作業が、ニューマチックケーソンでは高気圧下での作業となるので、作業員に高気圧障害を与えるおそれがある。さらに、この特開２００１−１１８６７号公報に記載の技術においても、作業室底部の地盤を掘削しケーソンを沈下させる作業時に、作業室内にアンカー部材が貫通しているため、前述の特許第３４３９８５９号公報に記載された技術と同様の問題があった。
【００１３】
この発明は、上記のことに鑑み提案されたもので、その目的とするところは、支持地盤中にアンカーを容易に設置してアンカー力を得ることができ、よってケーソン側壁の厚さを小さくすることができ、また、アンカー力を地上側から、容易に調整し得るケーソンおよびその施工方法を提供するにある。
【課題を解決するための手段】
【００１４】
請求項１記載の本発明は、側壁の下方に刃口が形成されたケーソンであって、前記側壁に中空状の配管が複数設けられ、配管に第１のアンカーを挿入し、前記第１のアンカーの先端部を支持地盤に定着させ、第１のアンカーの上部を前記側壁の上部に位置させ、アンカー力調整用のアンカー固定部を設け、このアンカー固定部を収納する防護部を設け、かつ前記配管は前記側壁の上部から前記刃口まで設けられ、配管の先端部に削孔可能な栓を設けたことを特徴とする。
請求項２記載の本発明は、請求項１記載のケーソンにおいて、前記側壁の周囲に設けたケーソン沈下時荷重用に第２のアンカーを前記第１のアンカーとともに浮き上がり防止材としたことを特徴とする。
請求項３記載の本発明は、側壁内にアンカー挿入用の配管が設けられ、配管の先端部に削孔可能な栓が設けられたケーソンを所定深さに沈設し、側壁２の上部側に設けられた削孔機により前記栓を削孔するとともに支持地盤を削孔し、かつその削孔に第１のアンカーを挿入し、その先端部を支持地盤中に定着させ、第１のアンカーの上部は前記側壁上方にアンカー力調整用のアンカー固定部として設け、かつこのアンカー固定部を収納する防護部を設けたことを特徴とする。
請求項４記載の本発明は、側壁内にアンカー挿入用の配管が設けられ、配管の先端部に削孔可能な栓が設けられたケーソンを沈下させる過程で、ケーソン周囲に設置した多数の第２のアンカーで反力をとりケーソンの沈下促進をはかり、ケーソンが所定の深さに沈下した後、前記側壁の上部側に設けられた削孔機により前記栓を削孔するとともに支持地盤を削孔し、かつその削孔に第１のアンカーを挿入し、その先端部を支持地盤中に定着させ、第１のアンカーの上部は前記側壁上方にアンカー力調整用のアンカー固定部として設け、前記側壁上部に押さえ材を設け、この押さえ材を介して上記アンカー張力をケーソンに付加すると共に、前記側壁に設けた多数の前記第２のアンカーの張力により浮き上がりを防止し、かつ前記アンカー固定部を収容して保護する防護部を設けたことを特徴とする。
【発明の効果】
【００１５】
以上のように本発明によれば、側壁に配管を設けたため、この配管を介して容易に支持地盤を削孔でき、かつ第１のアンカーを挿入して支持地盤に定着させることができ、作業性が良い。
また、地上側にある側壁上部にアンカー力調整用のアンカー固定部を設けたため、地上において容易にアンカー力を調整することができる。
また、ケーソンはアンカーによって浮き上がりを防止するようにしたため、側壁の厚さを小さくすることができるので、製作が容易となり、かつコンクリート、鉄筋量を削減でき省資源化を図ることができ、経済的である。
さらに、アンカー固定部を収容する防護部を設けたため、アンカー固定部を風雨等から保護することができる。
【発明を実施するための最良の形態】
【００１６】
以下、本発明の実施例を図面に基づいて説明する。
【実施例１】
【００１７】
図１〜図５は本発明の実施例１を示すもので、図１は本発明の実施例１にかかるニューマチックケーソンを所定の深さに沈設した状態における縦断正面図、図２（ａ）は図１中Ａ−Ａ線断面図、（ｂ）は図２（ａ）中Ａ部分の拡大図、図３は図１における配管先端部の拡大説明図を示す。図４はニューマチックケーソンの浮き上がり防止装置を構築する状態の縦断正面図、図５はニューマチックケーソンの浮き上がり防止手段を施した最終形態の説明図である。
【００１８】
まず、図１において、１は地盤面ａから所定の深さ沈設されたニューマチックケーソンで（以下、単にケーソンという）、このケーソン１は側壁２を有し、その内側下方部には作業室スラブ３が形成され、かつ側壁２のさらに下方には刃口４が形成され、刃口４の内側であって、作業室スラブ３の下方には圧気状態に置かれる作業室５が形成されている。４’は刃先金物、ｂは地表面下部に存在する地下水位である。
【００１９】
作業室スラブ３には、上部にマンロック６ａが設けられたマンシャフト６の下部が接続されている。また、上部にマテリアルロック７ａが設けられたマテリアルシャフト７の下部が接続されている。
【００２０】
このケーソン１の作業室５内には、周知のように、内部を走行自在な掘削機（図示せず）が搬入され、地盤が掘削され、その掘削土砂は土砂バケット（図示せず）に積み込まれ、マテリアルシャフト７およびマテリアルロック７ａを経て外部に排出され、ケーソン１は次第に沈下されていく。
【００２１】
この沈下にあたり、ケーソン１の重量が沈下抵抗力（浮力＋周面摩擦力＋刃口抵抗）に比べて小さい場合、ケーソン内部に荷重水８を入れたり、あるいは既知の手段であるケーソン周囲にアンカーを設けて地盤に定着し、このアンカーを反力として既知のセンターホールジャッキを押し桁を介して側壁上端にジャッキの押し込み力をケーソンに作用させる技術を用いれば良い。これについては後述の実施例２に示す。
【００２２】
側壁２の内部には、その長さ方向に沿って、支持地盤Ｇを削孔するための後述するドリルロッド１５や第１のアンカー１６を挿入可能な配管９が設けられている。
【００２３】
配管９は、図２ａに示すように図示例では側壁２の内部の外周において円周方向に適間隔（ケーソン１の規模にもよるが例えば１．５ｍ以上）に複数設けられ、かつその内側において互い違いに適間隔で複数設けられているが、図示例の配置に限定されるものではない。
【００２４】
図２（ｂ）は、配管部分の拡大図を示す。配管９は中空状に形成され、先端はニューマチックケーソンの場合、作業室５に臨設され、内部にドリルビットやアンカーが挿入される。これについては後述する。
【００２５】
配管９は、鋼、鉄あるいは樹脂などからなり、ケーソン１の沈下に伴って側壁２を構築するに従い、それに伴って順次継ぎ足されていく。
【００２６】
配管９の先端部の所定の区間には、詳しくは図３に示すように、栓１０が設けられている。この栓１０は、セメントペースト、モルタルまたは樹脂など後工程の削孔作業が容易である材料からなり、それを充填しておき、作業室５内の圧気が漏出しないように、充填材質や充填区間長が設計されている。
なお、配管の先端部の栓１０の部分は、セメントペースト、モルタル等との付着力を良好にするためのネジを切っておくなどすると好適である。
【００２７】
所定の深さにケーソン１を沈下した支持地盤Ｇに達した後は、掘削機は回収される。
【００２８】
次に、図４に示すように、作業室５内に底詰めコンクリート１１が充填される。また、ケーソン１は固定される。これらは既知の技術によって行われる。
【００２９】
その後、地盤面ａに露出している側壁２の外側に架台１２を配置し、この架台１２を介し削孔機１３をセットする。削孔機１３は、リーダ１３ａ、ドリル駆動装置１３ｂ等を有し、配管９内にドリルを降ろし、図４において右側に示すように配管先端部の栓１０と、支持地盤Ｇを先端にビット１４が設けられたドリルロッド１５でもってアンカー力がとれる所定の深さまで削孔する。この作業は、基本的には全周にわたって行われる。
【００３０】
削孔作業は、配管９を用いて行われるが、配管９は大部分が中空で先端部のみにコンクリート、モルタルなどが充填されているだけなので、実際の削孔距離が少なく、削孔時間を短縮できる。
【００３１】
次にドリルロッド１５を引き抜き、図４中、右側に示すように、この孔に配管９を介して第１のアンカー１６を挿入する。この第１のアンカー１６は必要数、全周にわたり設置され、その先端部に配管９を介しグラウト材１７を注入し支持地盤Ｇ中に固結させ定着させる。
【００３２】
アンカー１６の定着にあたっては、地下水位以上の位置からアンカー１６を設置でき、孔内水位を地下水より高く維持することが可能なため、削孔後に地下水がビット先端から削孔された孔に地下水の侵入が防止されるので、孔壁の崩れを防ぐことができ、所定のアンカー定着力、つまりアンカー力を得ることができる。
【００３３】
アンカー１６の先端部を支持地盤Ｇに定着させたら、側壁２の上端側においてジャッキ（図示せず）を用いて引っぱり、所定の緊張力を第１のアンカー１６に付与してアンカー１６の上端部を側壁２に固定する。１８はそのアンカー固定部である。このアンカー固定部１８は例えばボルトナットのようなネジ構造からなり、必要に応じ増締め可能に構成されている。なお、他の締結手段でも良い。
【００３４】
このように第１のアンカー１６を用いて固定することで、ケーソン１を土圧や水圧に対する強度を持つ側壁２や作業室スラブ３の床版厚で、ケーソン１の沈下抵抗力以下の重量であっても、第１のアンカー１６やケーソン周囲に配置した第２のアンカーにより浮き上がりを防止することができる。第２のアンカーについては後述の実施例２で説明する。
【００３５】
また、従来のケーソン１よりコンクリート量や掘削土量を少なくすることができるので、資源の節約や製作にかかるエネルギーを節約することができる。
【００３６】
その後、図５に示すように、ケーソン１内部の荷重水８（図１、図４参照）を排水し、図１および図４等に示したマテリアルロック７ａやマテリアルシャフト７、マンロック６ａやマンシャフト６等を撤去する。また、撤去後の作業室スラブ３の開口部３ａにコンクリートを打設し、かつ仕上げ床２３を構築する。
【００３７】
側壁２の内側の上方開口部２ａには蓋版コンクリートによって鉄筋コンクリート構造の蓋版１９を構築する。また、側壁２の上部のアンカー固定部１８の周囲に、風雨によるボルトナットの劣化防止、飛散物の衝突、いたずら等からアンカー固定部１８を防護するための防護部２０を設ける。
【００３８】
この防護部２０は、必要に応じて一部、あるいは全部を取外しないしは撤去可能とし、アンカー１６の再緊張あるいは導入緊張力のチェックを行い、アンカー力が低下するなどした場合、地上側において容易にアンカー力を所定値に調整し得るように構成されている。
【００３９】
防護部２０は例えばアンカー固定部１８を囲む中空箱状の室のような構成とすれば良いが、この防護部２０や蓋版１９の構造は条件により適宜設計変更可能である。また、防護部２０はコンクリートやモルタルを打設して防護する場合もある。
【００４０】
また、ケーソン１の内部は荷重水８が排水され貯留室１ａとなっているが、貯留する内容物により取入れ装置および排出装置については異なり、特に図示しないが既知の適宜の構成の装置が設けられている。
【実施例２】
【００４１】
図６は本発明の実施例２を示す。
【００４２】
この実施例では、ケーソン１を沈下させるときに荷重として使用するためにケーソン周囲に設置した第２のアンカー２１をも沈下完了後の永久構造物として浮き上がり防止に利用したものである。
したがって、この実施例ではケーソン１の浮き上がりをより確実に防止することができる。
【００４３】
この場合、側壁２の上部に押さえ材２２を設け、この押さえ材２２に第１のアンカー１６や第２のアンカー２１を貫設し、押さえ材２２の上面に各アンカー１６、２１のアンカー固定部１８、１８’を設け、アンカー力を調整可能としている。
【００４４】
すなわち、この実施例では、ケーソン１を沈下させる過程において、ケーソン１の周囲に設置した多数の第２のアンカー２１により反力をとりケーソン１の沈下促進をはかり、ケーソン１が所定の深さに沈下した後、側壁２の上部に設けた押さえ材２２を介して上記アンカー張力をケーソン１に付加すると共に、ケーソン１の側壁２に設けた多数の第２のアンカー２１の張力により第１のアンカー１６とともにケーソン１の浮き上がりを防止するようにしている。
【００４５】
第２のアンカー２１の設置方法自体は既知である。すなわち、第２のアンカー２１は、図７（ａ）、（ｂ）に示した実施例３のように、センターホールジャッキ３１等を用いて設置される。
【００４６】
押さえ材２２は、例えば鉄筋コンクリートあるいは鉄骨コンクリート製とし、また、蓋版１９と一体化しても良い。
【００４７】
その他の構成は前述の実施例１とほぼ同様であり、上部にアンカー固定部１８，１８’を保護するための防護部２０が設けられる。
【００４８】
なお、上記実施例１、２ではニューマチックケーソンについて説明したが、その他オープンケーソンにも適用し得る。
【実施例３】
【００４９】
図７（ａ）、（ｂ）および図８は、本発明をオープンケーソンに適用した場合の実施例を示す。図７（ａ）は平面図、（ｂ）は縦断正面図、図８は浮き上がり防止手段を施した最終形態のオープンケーソンの縦断正面図を示す。
【００５０】
図７（ａ）、（ｂ）において、１’は筒状のオープンケーソン（以下、単にケーソン１’という）で、（ｂ）図に示すように、側壁２’の下部に刃口４ａが形成されている。刃口４ａには特に図示していないが刃先金物が設けられている。
【００５１】
側壁２’の内部には、前述の実施例と同様、その長さ方向に沿ってドリルロッドやアンカーを挿入可能な配管９が設けられ、これら配管９の下部はケーソン１’の刃口４ａに臨設され、かつ配管９の先端部にはセメントペースト、モルタル、樹脂等を充填し、容易に削孔可能な栓１０が設けられる。
【００５２】
３０はケーソン１’の上部に格子状に積み重ねて配置された加圧桁であり、この加圧桁３０の端部には第２のアンカー２１を支持地盤Ｇに設けるためのセンターホールジャッキ３１が設けられている。このセンターホールジャッキ３１はケーソン１’の外周部の外側に設けられている。ケーソン１’の外側位置に第２のアンカー２１を設けるために用いられるためのものだからである。
【００５３】
加圧桁３０とケーソン１’との間には支圧桁３２が設けられている。
【００５４】
図７（ａ）、（ｂ）において、その他ａは地盤面、８はケーソン１’内の内部水、８ａはその内水位、（ｂ）は地下水位、１７は第２のアンカー２１の先端部に設けられたアンカー定着部である。
【００５５】
次に、このケーソン１’の沈下方法について説明する。
【００５６】
まず、ケーソン１’の底部の支持地盤Ｇを、既知のようにクラムシェル（図示せず）などにより掘削してケーソン１’の自重と加圧力により所定の位置まで沈下させる。
【００５７】
加圧手段として、ケーソン１’の側壁２’の外周部に沿って沈下促進用の第２のアンカー２１を設置する。
【００５８】
すなわち、前述のように、ケーソン１’の上部に支圧桁３２を設置し、その上に加圧桁３０を設置し、加圧桁３０の所定の位置にセンターホールジャッキ３１を設けて第２のアンカー２１を設置し、第２のアンカー２１の下部にアンカー定着部１７を設け、第２のアンカー２１に反力をとり、ケーソン１’に荷重を付加して沈下を促進する。
【００５９】
所定の位置まで沈下したら、センターホールジャッキ３１、加圧桁３０、支圧桁３２等を取り除く。
【００６０】
次に、図８に示すように、ケーソン底部に底詰めコンクリート３３を打設し、ケーソン１’の上部に、図６に示した実施例２と同様、蓋版１９を設ける。
【００６１】
この場合、ケーソン１’は、アンカー張力とケーソン自重とにより浮力に対抗できるので、底詰めコンクリート３３は、底詰めコンクリート３３に作用する地下水圧に耐える強度を有したもので良い。底詰めコンクリート３３は浮力に対抗するための重力を確保するための重量を必要としないので、少ないコンクリート量で済み、経済的である。
【００６２】
次に、蓋版１９上に、前述の実施例１のように削孔機をセットし、ドリルロッドを降ろし栓１０を削孔し、かつアンカー力がとれる所定の深さまで削孔、削孔後、ドリルロッドを引き抜き、第１のアンカーを挿入し、グラウト材を注入してこのアンカー定着部を介し第１のアンカーを支持地盤Ｇ中に定着させ、削孔機は取り除き、ボルトナットを用い、第１、第２のアンカー１６、２１の上部を蓋版１９に固定する。１８、１８’はそれらのアンカー固定部である。
【００６３】
次に、ケーソン１’内に水中ポンプ３４を入れ、水中ポンプ３４、パイプ３４ａを介し内部水８を排水する。
【００６４】
しかる後、特に図示していないが実施例１と同様に防護部を設ければよい。
【００６５】
なお、実施例２のように、蓋版１９に押さえ材２２を一体化しても良い。
【００６６】
このオープン型のケーソン１’においても、浮き上がりを第１、第２のアンカー１６、２１によって防止するようにしているため、側壁２’の厚さを小さくすることができ、経済的である。
【００６７】
この実施例３では、実施例２のように、第２のアンカー２１もケーソン１’の浮き上がり防止用に利用した場合について説明したが、実施例２のように、第１のアンカー１６によってのみ浮き上がりを防止するようにすることも可能であることは勿論である。
【００６８】
この場合、ケーソン１’を所定の位置に次設後、第２のアンカー２１は回収される。
【図面の簡単な説明】
【００６９】
【図１】本発明の実施例１のニューマチックケーソンの縦断正面図を示す。
【図２】（ａ）は図１中Ａ―Ａ線断面図、（ｂ）は図２（ａ）中Ａ部分の拡大説明図を示す。
【図３】本発明の配管先端部の拡大説明図を示す。
【図４】浮き上がり防止手段が施された本発明の実施例１のニューマチックケーソンの縦断正面図を示す。
【図５】同じく同上の縦断正面図を示す。
【図６】実施例２において、ケーソンの浮き上がり防止装置を構築した状態の縦断正面図である。
【図７】（ａ）は本発明の実施例３の平面図、（ｂ）は縦断正面図を示す。
【図８】実施例３において浮き上がり防止手段を施した最終形態のオープンケーソンの縦断正面図を示す。
【符号の説明】
【００７０】
１          ニューマチックケーソン
１’        オープン型のケーソン
２、２’    側壁
３          作業室スラブ
３ａ        開口部
４、４ａ    刃口
４’        刃先金物
５          作業室
６ａ        マンロック
６          マンシャフト
７ａ        マテリアルロック
７          マテリアルシャフト
８          荷重水
９          配管
１０        栓
１１        底詰めコンクリート
１２        架台
１３        削孔機
１３ａ      リーダ
１３ｂ      ドリル駆動装置
１４        ビット
１５        ドリルロッド
１６        第１のアンカー
１７        グラウト材
１８、１８’  アンカー固定部
１９        蓋版
２０        防護部
２１        第２のアンカー
２２        押さえ材
２３        仕上げ床
３０        加圧桁
３１        センターホールジャッキ
３２        支圧桁
Ｇ          支持地盤
ａ          地盤面
ｂ          地下水位
【図１】
2008208533.tif 000003
【図２】
2008208533.tif 000004
【図３】
2008208533.tif 000005
【図４】
2008208533.tif 000006
【図５】
2008208533.tif 000007
【図６】
2008208533.tif 000008
【図７】
2008208533.tif 000009
【図８】
2008208533.tif 000010